(57)【要約】  発光表示素子がマトリックス状に配置された複数の映像表示ユニットを組み合わせて表示画面を構成する映像表示装置であって、隣接する第１の映像表示ユニットと第２の映像表示ユニットの間隔に応じて、第１の映像表示ユニットおよび第２の映像表示ユニットの互いに対向する端部領域である補正対象エリアに位置する映像データの輝度を補正する輝度補正手段を備えて、映像表示ユニットの継ぎ目部分に発生する線状のノイズを抑制し、表示映像の画質を向上する。
2008117393.tif 000002
【特許請求の範囲】
【請求項１】
発光表示素子がマトリックス状に配置された複数の映像表示ユニットを組み合わせて表示画面を構成する映像表示装置であって、
隣接する第１の映像表示ユニットと第２の映像表示ユニットの間隔に応じて、前記第１の映像表示ユニットおよび第２の映像表示ユニットの互いに対向する端部領域である補正対象エリアに位置する映像データの輝度を補正する輝度補正手段を備えたことを特徴とする映像表示装置。
【請求項２】
前記輝度補正手段は、隣接する前記第１の映像表示ユニットと第２の映像表示ユニットの間隔が狭く前記第１の映像表示ユニットと第２の映像表示ユニットの間に明るい線状のノイズが発生するときは、前記補正対象エリアに位置する映像データの輝度を下げ、前記第１の映像表示ユニットと第２の映像表示ユニットの間隔が広く前記第１の映像表示ユニットと第２の映像表示ユニットの間に暗い線状のノイズが発生するときは、前記補正対象エリアに位置する映像データの輝度を上げることを特徴とする請求項１に記載の映像表示装置。
【請求項３】
前記輝度補正手段は、隣接する前記第１の映像表示ユニットと第２の映像表示ユニット間の間隔測定データに基づいて、前記補正対象エリアに位置する映像データの輝度を補正するための補正係数を演算し、得られた補正係数を用いて補正対象エリアに位置する映像データの輝度を補正することを特徴とする請求項１に記載の映像表示装置。
【請求項４】
前記間隔測定データは、隣接する前記第１の映像表示ユニットと第２の映像表示ユニットの端部において互いに対向する発光表示素子列の間隔測定データであることを特徴とする請求項３に記載の映像表示装置。
【請求項５】
前記間隔測定データは、隣接する前記第１の映像表示ユニットと第２の映像表示ユニット間に設けられた加圧センサによって測定されることを特徴とする請求項３に記載の映像表示装置。
【請求項６】
複数の映像表示ユニットから構成されるモジュールを組み合わせて表示画面を構成する映像表示装置であって、
隣接する第１のモジュールと第２のモジュールの間隔に応じて、前記第１のモジュールおよび第２のモジュールの互いに対向する端部領域である補正対象エリアに位置する映像データの輝度を補正する輝度補正手段を備えたことを特徴とする映像表示装置。
【請求項７】
前記輝度補正手段は、隣接する前記第１のモジュールと第２のモジュールの間隔が狭く前記第１のモジュールと第２のモジュールの間に明るい線状のノイズが発生するときは、前記補正対象エリアに位置する映像データの輝度を下げ、前記第１のモジュールと第２のモジュールの間隔が広く前記第１のモジュールと第２のモジュールの間に暗い線状のノイズが発生するときは、前記補正対象エリアに位置する映像データの輝度を上げることを特徴とする請求項６に記載の映像表示装置。
【請求項８】
前記映像表示ユニットあるいはモジュールにそれぞれアドレスを設定しておき、該設定されたアドレスの範囲を指定することにより、複数映像表示ユニットあるいはモジュールにわたって前記輝度補正を行うことを特徴とする請求項１または請求項６に記載の映像表示装置。
【請求項９】
発光表示素子がマトリックス状に配置された複数の映像表示ユニットを組み合わせて表示画面を構成する映像表示方法であって、
隣接する第１の映像表示ユニットと第２の映像表示ユニットの間隔に応じて、前記第１の映像表示ユニットおよび第２の映像表示ユニットの互いに対向する端部領域である補正対象エリアに位置する映像データの輝度を補正することを特徴とする映像表示方法。
【請求項１０】
隣接する前記第１の映像表示ユニットと第２の映像表示ユニットの間隔が狭く前記第１の映像表示ユニットと第２の映像表示ユニットの間に明るい線状のノイズが発生するときは前記補正対象エリアに位置する映像データの輝度を下げ、前記第１の映像表示ユニットと第２の映像表示ユニットの間隔が広く前記第１の映像表示ユニットと第２の映像表示ユニットの間に暗い線状のノイズが発生するときは前記補正対象エリアに位置する映像データの輝度を上げることを特徴とする請求項９に記載の映像表示方法。
【請求項１１】
複数の映像表示ユニットから構成されるモジュールを組み合わせて表示画面を構成する映像表示方法であって、
隣接する第１のモジュールと第２のモジュールの間隔に応じて、前記第１のモジュールおよび第２のモジュールの互いに対向する端部領域である補正対象エリアに位置する映像データの輝度を補正することを特徴とする映像表示方法。
【請求項１２】
隣接する前記第１のモジュールと第２のモジュールの間隔が狭く前記第１のモジュールと第２のモジュールの間に明るい線状のノイズが発生するときは、前記補正対象エリアに位置する映像データの輝度を下げ、前記第１のモジュールと第２のモジュールの間隔が広く前記第１のモジュールと第２のモジュールの間に暗い線状のノイズが発生するときは、前記補正対象エリアに位置する映像データの輝度を上げることを特徴とする請求項１１に記載の映像表示方法。
【発明の詳細な説明】
【技術分野】
【０００１】
本発明は、複数の映像表示ユニットを組み合わせて構成される映像表示装置および映像表示方法に関するものである。
【背景技術】
【０００２】
発光ダイオード等の発光表示素子（単に、発光素子とも称す）を用いた大型の映像表示装置は、近年デバイスの進展にともない、高画質化、高解像度化、狭ピッチ化が実現され、需要が急増している。
発光表示素子を用いた大型の映像表示装置は、基板上にマトリックス状に配置された多数の発光表示素子からなる映像表示ユニットを複数個組み合わせて構成されている。
さらに、この映像表示ユニットを複数個組み合わせることでモジュールを構成し、これらのモジュールを任意に組み合わせることによって、所望サイズの大型の映像表示装置を構成することも可能である。
このような複数の映像表示ユニットを組み合わせて構成した大型映像表示装置においては、表示される映像の高解像度化を図った場合、映像表示ユニット間の間隔（距離）の違いが表示される映像の画質に影響を与える。【０００３】
多数の映像表示ユニットを配列して大画面の表示装置を構成した従来の大型の映像表示装置（例えば、特開２００４−８６１６５号公報に示された表示装置）においては、映像表示ユニット間の輝度ばらつきや継ぎ目を目立たせないようにし、かつ、画質の向上を図るために、映像表示ユニット間の間隔に関係なく、継ぎ目近傍のドットの輝度を中央部分のドット輝度よりも高くするような値に設定している。【０００４】
【特許文献１】特開２００４−８６１６５号公報（段落０２８９）
【発明の開示】
【発明が解決しようとする課題】
【０００５】
一般に、複数の映像表示ユニットを用いた大型の映像表示装置は、映像表示ユニットの継ぎ目部分でドット間隔（即ち、発光表示素子の間隔）が不均一になりやすく、この部分で線状のノイズが見える。
この線状ノイズは、映像表示ユニットの間隔が詰まりすぎているときには明るく見え、映像表示ユニット間隔が開きすぎているときには暗く見える傾向にある。【０００６】
また、隣接する映像表示ユニット間のドット間隔が、映像表示ユニット内のドット間隔と等しくなるように映像表示ユニットを精度よく並べれば、線状のノイズを抑えることができるが、映像表示ユニットの画素ピッチ（即ち、発光表示素子で構成される画素間の距離）が小さくなるにつれて、その精度は非常に高いものが必要とされる。
そのため、映像表示ユニットの間隔不均等のために、映像表示ユニット継ぎ目部分に線状のノイズを発生させてしまうという問題点があった。【０００７】
また、複数の映像表示ユニットを組み合わせた可搬型のモジュールを用いた大型の映像表示装置は、その設置場所の移動やスクリーン（映像表示画面）サイズの変更に伴って、モジュールを組み換えて配置する機会が多く発生する。
従って、可搬型のモジュールを用いた大型の映像表示装置の場合は、モジュール間の間隔を精度よく配置するのが難しく、モジュールの間隔が変更され不均一になりやすい。
そのため、モジュールの継ぎ目部分において、線状のノイズが発生するという問題点があった。【０００８】
特開２００４−８６１６５号公報（特許文献１）では、映像表示ユニットの継ぎ目近傍のドット（発光表示素子）の輝度を中央部分よりも高くするような値に設定することで、映像表示ユニットの継ぎ目を目立たなくする方法は述べられている。
しかし、この方法は、映像表示ユニットの間隔に起因する明暗の線状ノイズに対するものではない。
また、映像表示ユニット間の間隔が狭いときに現れる明るい線状ノイズを抑える方法はなく、具体的な対策方法については確立していない。【０００９】
この発明は上記のような課題を解決するためになされたものであり、複数の映像表示ユニットあるいはモジュールを組み合わせて構成した映像表示装置であって、映像表示ユニットあるいはモジュールの継ぎ目部分に現れる明暗の線状のノイズを軽減できる映像表示装置を提供することを目的とする。
また、映像表示ユニットあるいはモジュールの継ぎ目部分に現れる明暗の線状のノイズを軽減できる映像表示方法を提供することを目的とする。
【課題を解決するための手段】
【００１０】
この発明に係る映像表示装置は、発光表示素子がマトリックス状に配置された複数の映像表示ユニットを組み合わせて表示画面を構成する映像表示装置であって、隣接する第１の映像表示ユニットと第２の映像表示ユニットの間隔に応じて、前記第１の映像表示ユニットおよび第２の映像表示ユニットの互いに対向する端部領域である補正対象エリアに位置する映像データの輝度を補正する輝度補正手段を備えたものである。【００１１】
また、この発明に係る映像表示装置は、複数の映像表示ユニットから構成されるモジュールを組み合わせて表示画面を構成する映像表示装置であって、隣接する第１のモジュールと第２のモジュールの間隔に応じて、前記第１のモジュールおよび第２のモジュールの互いに対向する端部領域である補正対象エリアに位置する映像データの輝度を補正する輝度補正手段を備えたものである。【００１２】
また、この発明に係る映像表示方法は、発光表示素子がマトリックス状に配置された複数の映像表示ユニットを組み合わせて表示画面を構成する映像表示方法であって、隣接する第１の映像表示ユニットと第２の映像表示ユニットの間隔に応じて、前記第１の映像表示ユニットおよび第２の映像表示ユニットの互いに対向する端部領域である補正対象エリアに位置する映像データの輝度を補正するものである。【００１３】
また、この発明に係る映像表示方法は、複数の映像表示ユニットから構成されるモジュールを組み合わせて表示画面を構成する映像表示方法であって、隣接する第１のモジュールと第２のモジュールの間隔に応じて、前記第１のモジュールおよび第２のモジュールの互いに対向する端部領域である補正対象エリアに位置する映像データの輝度を補正するものである。
【発明の効果】
【００１４】
この発明によれば、隣接する第１の映像表示ユニットおよび第２の映像表示ユニットの互いに対向する端部領域に位置する映像データの輝度を調整することが可能であるので、映像表示ユニットの継ぎ目部分に発生する線状のノイズを抑制し、表示映像の画質を向上することができる。
また、この発明によれば、隣接する第１のモジュールおよび第２のモジュールの互いに対向する端部領域に位置する映像データの輝度を調整することが可能であるので、映像表示モジュールの継ぎ目部分に発生する線状のノイズを抑制し、表示映像の画質を向上することができる。
【図面の簡単な説明】
【００１５】
【図１】実施の形態１による映像表示装置を説明するための概念図である。
【図２】実施の形態１による映像表示装置の動作を説明するための図である。
【図３】実施の形態２による映像表示装置を説明するための概念図である。
【図４】実施の形態２による映像表示装置における処理ステップを示すフローチャートである。
【図５】実施の形態３による映像表示装置を説明するための概念図である。
【図６】実施の形態４による映像表示装置の構成を説明するための概念図である。
【図７】実施の形態５による映像表示装置において、モジュール用補正係数の導出方法を説明するための概念図である。
【図８】実施の形態５による映像表示装置において、映像表示ユニット間あるいはモジュール間の画質調整を概念的に示す図である。
【図９】実施の形態５による映像表示装置の動作を説明するための図である。
【図１０】実施の形態６による映像表示装置を説明するための概念図である。
【符号の説明】
【００１６】
１〜９  映像表示ユニット
１０  標準ユニット間隔
１１〜２０、１１０〜１４０  補正演算エリア
２１〜２４  セレクタ
２５        乗算器
２６        加圧センサ
３１〜３９  モジュール
４０  標準モジュール間隔
【発明を実施するための最良の形態】
【００１７】
以下、図面に基づいて、本発明の実施の形態例について説明する。
なお、各図間において、同一符号は、同一あるいは相当のものであることを表す。
実施の形態１．
基板上にドットマトリックス状（単に、マトリック状とも称す）に配置された多数の発光表示素子からなる映像表示ユニットを複数台並べたときに、隣接する映像表示ユニットの間隔が詰まりすぎていたり、開きすぎていたりすると、隣接する映像表示ユニット間に線状の明暗のノイズが現れる。
ここで、発光表示素子を一定間隔に並べるために必要な映像表示ユニットの間隔を標準ユニット間隔と呼ぶこととする。
即ち、各映像表示ユニットにおいては、多数の発光表示素子は一定の間隔で配置おり、「標準ユニット間隔」とは、映像表示ユニットを複数台並べて配置したときでも、隣接する映像表示ユニットの端部間で発光表示素子を映像表示ユニット内と同じの一定間隔に並べるために必要な間隔のことである。【００１８】
図１は、実施の形態１による映像表示装置を説明するための概念図である。
ここでは、９個の映像表示ユニットがマトリックス状に配置されている場合を例として説明する。
なお、図１（ａ）は隣接する映像表示ユニット間に発生する線状のノイズが抑制される前の状態を、図１（ｂ）は隣接する映像表示ユニット間に発生する線状のノイズが抑制される状態を示している。
図１において、１、２、３、・・・９は映像表示ユニットであり、これらの映像表示ユニットは映像表示ユニット５を中心としてマトリックス状に配置されている。
本実施の形態では、映像表示ユニット５を中心として、その周囲に映像表示ユニットがマトリックス状に配置されている場合を例として説明する。
図１に示した例では、映像表示ユニット４と映像表示ユニット５の間隔が標準ユニット間隔１０よりも狭いために、表示ユニット５の左端において明るい線が見える。
また、映像表示ユニット５と映像表示ユニット６の間隔が標準ユニット間隔１０よりも広いために、表示ユニット５の右端において暗い線が見える。
また、映像表示ユニット５と上側の映像表示ユニット２の間隔および映像表示ユニット５と下側の映像表示ユニット８との間隔は、前述した標準ユニット間隔１０であり、線状の明暗のノイズが見えないものとする。【００１９】
例えば、映像表示ユニット５と映像表示ユニット４の間の間隔が標準間隔１０よりも狭く、映像表示ユニット５と映像表示ユニット４の間で明るい線が見える時には、映像表示ユニット５の左端エリアおよび映像表示ユニット４の右端エリアを含む補正演算エリア１４に位置する映像データの輝度値を左端補正係数θ４（θ４＝１＋α）により暗くなるように補正する。この場合（即ち、映像データの輝度値を暗くなるように補正する場合）は、α＜０となる。
この補正係数θ４を補正演算エリア１４に位置する映像データに掛け合わせることで、継ぎ目部分の輝度を下げ、線状のノイズとなる明るい線を見え難くする。
なお、θ４は映像表示ユニット５の左端にある補正演算エリア１４に位置する画像データの輝度値を補正するための補正係数であるので、θ４を「左端補正係数」と称することとする。【００２０】
また、例えば、映像表示ユニット５と映像表示ユニット６の間の間隔が標準間隔１０よりも広く、映像表示ユニット５と映像表示ユニット６の間で暗い線状のノイズが見える時には、映像表示ユニット５の右端エリアおよび映像表示ユニット６の左端エリアを含む補正演算エリア１２に位置する映像データの輝度値を右端補正係数θ２（θ２＝１＋α）により明るくなるように補正する。この場合（即ち、映像データの輝度値を明るくなるように補正する場合）は、α＞０となる。
この右端補正係数θ２を補正演算エリア１２に位置する映像データに掛け合わせることで、映像表示ユニット５と映像表示ユニット６の継ぎ目部分の輝度を上げ、線状のノイズとなる暗い線を見え難くする。
なお、θ２は映像表示ユニット５の右端にある補正演算エリア１２に位置する画像データの輝度値を補正するための補正係数であるので、θ２を「右端補正係数」と称することとする。【００２１】
同様に、映像表示ユニット５と映像表示ユニット２との境界に対する上端補正係数θ１、および映像表示ユニット５と映像表示ユニット８との境界に対する下端補正係数θ３も同様に次式で求められる。
上端補正係数θ１＝１＋α
下端補正係数θ３＝１＋α
なお、θ１は映像表示ユニット５の上端にある補正演算エリア１１に位置する画像データの輝度値を補正するための補正係数であるので、θ１を「上端補正係数」と称することとする。
同様に、θ３は映像表示ユニット５の下端にある補正演算エリア１３に位置する画像データの輝度値を補正するための補正係数であるので、θ３を「下端補正係数」と称することとする。
ここで、図１に示すように、映像表示ユニット５と映像表示ユニット２の間隔および映像表示ユニット５と映像表示ユニット８の間隔が標準ユニット間隔１０である場合は、α＝０とする。
α＝０のとき、上端補正係数θ１と下端補正係数θ３は、それぞれ１となる。
従って、補正演算エリア１１内に位置する映像データおよび補正演算エリア１３内に位置する映像データの輝度は変更されない。【００２２】
図２は、実施の形態１による映像表示装置の動作を説明するための図である。
本実施の形態では、図２に示すように、映像入力に対し、上下方向の補正係数（即ち、θ１およびθ３）を掛け合わせた後で、左右方向の補正係数（即ち、θ２およびθ４）を掛け合わせる。なお、２５は乗算器である。
補正演算エリア１１に位置する映像データに対しては上端補正係数θ１を、補正演算エリア１３に位置する映像データに対しては下端補正係数θ３を掛け合わせることで、上下方向の継ぎ目部分に現れる線状ノイズを抑えることができる。
なお、補正係数を掛ける補正エリア（補正演算エリア）は、上下方向補正エリアセレクタ２１により選択される。【００２３】
次に、上下方向の補正演算エリア１１および補正演算エリア１３の映像データが補正された映像データ（上下方向補正後の映像データ）に対して、補正演算エリア１２に位置する映像データに対しては右端補正係数θ２を、補正演算エリア１４に位置する映像データに対しては左端補正係数θ４を掛け合わせることで、左右方向の継ぎ目部分に現れる線状ノイズを抑えることができる。
なお、補正係数を掛ける補正演算エリアは、左右方向補正エリアセレクタ２２より選択される。
また、映像表示ユニットの右上端補正演算エリア１７（図１（ｂ）参照）の映像データに対する補正係数は、上端の補正係数θ１と右端の補正係数θ２を掛け合わせることにより求める。
同様に、右下端補正演算エリア１８に対してはθ２とθ３を掛け合わせることで補正係数を求め、左下端補正演算エリア１９に対してはθ３とθ４を掛け合わせることで補正係数を求め、左上端補正演算エリア２０に対してはθ１とθ４を掛け合わせることで補正係数を求める。【００２４】
通常時、補正を掛ける映像表示ユニット端のエリアは、最端の画素（発光表示素子）１列分であるが、このエリアを変更することで映像表示ユニット最端列から数列分の映像データに対して補正を掛けることができる。
なお、本実施の形態では、９個の映像表示ユニットがマトリックス状に配置されている場合を例として説明したが、映像表示ユニットは９個に限定されるものではない。【００２５】
以上説明したように、本実施の形態による映像表示装置は、発光表示素子がマトリックス状に配置された複数の映像表示ユニットを組み合わせて表示画面を構成する映像表示装置であって、隣接する第１の映像表示ユニットと第２の映像表示ユニットの間隔に応じて、第１の映像表示ユニットおよび第２の映像表示ユニットの互いに対向する端部領域である補正対象エリア（補正演算エリア）に位置する映像データの輝度を補正する輝度補正手段を備えている。
また、この輝度補正手段は、隣接する前記第１の映像表示ユニットと第２の映像表示ユニットの間隔が狭く第１の映像表示ユニットと第２の映像表示ユニットの間に明るい線状のノイズが発生するときは、補正対象エリアに位置する映像データの輝度を下げ、第１の映像表示ユニットと第２の映像表示ユニットの間隔が広く第１の映像表示ユニットと第２の映像表示ユニットの間に暗い線状のノイズが発生するときは、補正対象エリアに位置する映像データの輝度を上げる。【００２６】
また、本実施の形態による映像表示方法は、発光表示素子がマトリックス状に配置された複数の映像表示ユニットを組み合わせて表示画面を構成する映像表示方法であって、隣接する第１の映像表示ユニットと第２の映像表示ユニットの間隔に応じて、第１の映像表示ユニットおよび第２の映像表示ユニットの互いに対向する端部領域である補正対象エリアに位置する映像データの輝度を補正する。
また、隣接する第１の映像表示ユニットと第２の映像表示ユニットの間隔が狭く第１の映像表示ユニットと第２の映像表示ユニットの間に明るい線状のノイズが発生するときは補正対象エリアに位置する映像データの輝度を下げ、第１の映像表示ユニットと第２の映像表示ユニットの間隔が広く第１の映像表示ユニットと第２の映像表示ユニットの間に暗い線状のノイズが発生するときは補正対象エリアに位置する映像データの輝度を上げるように構成している。【００２７】
従って、本実施の形態によれば、隣接する第１の映像表示ユニットと第２の映像表示ユニットの間隔に応じて、隣接する第１の映像表示ユニットおよび第２の映像表示ユニットの互いに対向する端部領域である補正対象エリア（補正演算エリア）に位置する映像データの輝度を調整することが可能であるので、映像表示ユニットの継ぎ目部分に発生する線状のノイズを抑制し、表示映像の画質を向上することができる。【００２８】
実施の形態２．
前述の実施の形態１では、映像表示ユニットの端を単純な補正係数により補正する方法について述べたが、この方法では映像表示ユニット端の明るさの微調整が難しい。
そこで、隣接する映像表示ユニットの間隔を測定し、その間隔測定データを用いて映像表示ユニット最端エリアに位置する映像データを補正することで、更に精度のよい画質補正を可能とする。
図３は、実施の形態２による映像表示装置を説明するための概念図である。
なお、図３（ａ）は隣接する映像表示ユニット間に発生する線状のノイズが抑制される前の状態を、図１（ｂ）は隣接する映像表示ユニット間に発生する線状のノイズが抑制される状態を示している。【００２９】
図３に示した例では、映像表示ユニット５と左側の映像表示ユニット４の間隔が標準ユニット間隔１０よりも狭いために、映像表示ユニット５の左端において明るい線状のノイズが見える。
また、映像表示ユニット５と右側の映像表示ユニット６の間隔が標準ユニット間隔１０よりも広いために、映像表示ユニット５の右端において暗い線状のノイズが見える。
また、映像表示ユニット５と上側の映像表示ユニット２の間隔および映像表示ユニット５と下側の映像表示ユニット８の間隔は、標準ユニット間隔１０であり、この領域には線状のノイズは見えないものとする。【００３０】
例えば、映像表示ユニット５と映像表示ユニット４の間の間隔が標準間隔１０よりも狭く、映像表示ユニット５と映像表示ユニット４の間で明るい線が見える時には、映像表示ユニット５の左端エリアおよび映像表示ユニット４の右端エリアを含む補正演算エリア１４に位置する映像データの輝度値を左端補正係数θ４′（θ４′＝１＋α）により暗くなるように補正する。この場合（即ち、映像データの輝度値を暗くなるように補正する場合）は、α＜０となる。
この補正係数θ４′を補正演算エリア１４に位置する映像データに掛け合わせることで、継ぎ目部分の輝度を下げ、明るい線を見え難くする。
なお、実施の形態１の場合と同様に、θ４′は映像表示ユニット５の左端にある補正演算エリア１４に位置する画像データの輝度値を補正するための補正係数であるので、θ４′を「左端補正係数」と称する。【００３１】
この左端補正係数θ４′は、映像表示ユニット５と映像表示ユニット４との間隔Ｄを用いて、次式で求められる。
左端補正係数θ４′＝１＋｛（間隔Ｄ−間隔Ｔ）／（２×画素ピッチ）｝
ここで、間隔Ｔとは、標準ユニット間隔１０のことである。
この場合、左側補正係数θ４′は１以下となり、この補正係数を映像表示ユニット５の最左端エリアおよび映像表示ユニット４の最右端エリアを含む補正演算エリア１４に位置する映像データに掛け合わせることで、映像表示ユニット５と映像表示ユニット４の継ぎ目部分の輝度を下げ、線状のノイズとなる明るい線を見え難くする。【００３２】
映像表示ユニット５と映像表示ユニット６の間の間隔が標準間隔１０よりも広く、映像表示ユニット５と映像表示ユニット６の間で明るい線状のノイズが見える時には、映像表示ユニット５の右端エリアおよび映像表示ユニット６の左端エリアを含む補正演算エリア１２に位置する映像データの輝度値を右端補正係数θ２′（θ２′＝１＋α）により明るくなるように補正する。この場合（即ち、映像データの輝度値を明るくなるように補正する場合）は、α＞０となる。
この右端補正係数θ２′を補正演算エリア１２に位置する映像データに掛け合わせることで、継ぎ目部分の輝度を上げ、線状のノイズとなる暗い線を見え難くする。
なお、実施の形態１の場合と同様に、θ２′は映像表示ユニット５の右端にある補正演算エリア１２に位置する画像データの輝度値を補正するための補正係数であるので、θ２′を「右端補正係数」と称する。【００３３】
この補正係数θ２′は、映像表示ユニット５と映像表示ユニット６との間隔Ｂを用いて、次式で求められる。
右端補正係数θ２′＝１＋｛（間隔Ｂ−間隔Ｔ）／（２×画素ピッチ）｝
なお、間隔Ｔとは、標準ユニット間隔１０のことである。
この場合、右端補正係数値θ２′は１以上となり、この補正係数を映像表示ユニット５の最右端エリアおよび映像表示ユニット６の最左端エリアを含む補正演算エリア１２に位置する映像データに掛け合わせることで、映像表示ユニット５と映像表示ユニット６の継ぎ目部分の輝度を上げ、線状のノイズとなる暗い線を見え難くする。【００３４】
同様に、映像表示ユニット５と映像表示ユニット２との間隔をＡおよび、映像表示ユニット５と映像表示ユニット８との間隔をＣとしたとき、補正演算エリア１１に位置する映像データに対する補正係数である上端補正係数θ１′、および補正演算エリア１３に位置する映像データに対する補正係数である下端補正係数θ３′は、次式で求められる。
上端補正係数θ１′＝１＋｛（間隔Ａ−間隔Ｔ）／（２×画素ピッチ）｝
下端補正係数θ３′＝１＋｛（間隔Ｃ−間隔Ｔ）／（２×画素ピッチ）｝
間隔Ａおよび間隔Ｃが標準ユニット間隔である間隔Ｔと等しい場合には、上端補正係数θ１′と下側補正係数θ３′はほぼ１となり、補正演算エリア１１および補正演算エリア１３に位置する映像データの輝度は変更されない。【００３５】
また、上式で求めた各補正係数（即ち、θ１′〜θ４′）を用いて補正した結果でも、目視により継ぎ目部分の線状のノイズが確認できる場合には、下式に示すように、各補正係数（即ち、θ１′〜θ４′）に対して調整係数β（即ち、β１〜β４）を付加することにより、最終的な補正後の映像データを得ることができる。
上端補正係数θ１″＝上端補正係数θ１′＋β1
右端補正係数θ２″＝右端補正係数θ２′＋β2
下端補正係数θ３″＝下端補正係数θ３′＋β3
左端補正係数θ４″＝左端補正係数θ４′＋β4
なお、通常はβ（即ち、β１〜β４）＝０である。この処理により、最終的な補正後の映像データを得ることができる。【００３６】
図４は、実施の形態２による映像表示装置における処理ステップを示すフローチャートである。
図に示すように、表示映像の画質補正を行うにあたり、予め、図３（ａ）に示した映像表示ユニット間の間隔Ａ、Ｂ、Ｃ、Ｄを間隔ゲージ等の測定機器を用いて測定する。
そして、前述したように、測定した各隣接する映像表示ユニットの間隔を用いて、補正演算エリア１１に位置する映像データに対する補整係数θ１′、補正演算エリア１２に位置する映像データに対する補整係数θ２′、補正演算エリア１３に位置する映像データに対する補整係数θ３′、補正演算エリア１４に位置する映像データに対する補整係数θ４′を求める。【００３７】
以上説明したように、本実施の形態による映像表示装置の輝度補正手段は、隣接する前記第１の映像表示ユニットと第２の映像表示ユニット間の間隔測定データに基づいて、補正対象エリア（補正演算エリア）に位置する映像データの輝度を補正するための補正係数を演算し、得られた補正係数を用いて補正対象エリアに位置する映像データの輝度を補正する。
従って、本実施の形態によれば、隣接する映像表示ユニット間の間隔測定データを用いて補正係数を演算するので、映像表示ユニットの継ぎ目部分に発生する線状のノイズを精度よく抑制し、表示映像の画質を更に向上することができる。【００３８】
実施の形態３．
なお、実施の形態２では、映像表示ユニット間の距離より求めた補正係数により画質を調整する方法について述べたが、この方法は映像表示ユニット自体の精度誤差を考慮していない。
そこで、図５のように、隣接する映像表示ユニットの最端ドット間の距離（互いに対向する発光表示素子列間の距離）を求めて補正係数を導出することで、映像表示ユニットの精度に影響されることなく、より正確な画質調整が可能となる。【００３９】
図５は、実施の形態３による映像表示装置を説明するための概念図である。
図５を用いて、実施の形態３について説明する。
図５において、“ａ”は映像表示ユニット５の最上端の発光表示素子列と映像表示ユニット２の最下端の発光表示素子列間のドット間隔（即ち、発光表示素子間の距離）、“ｂ”は映像表示ユニット５の最右端の発光表示素子列と映像表示ユニット６の最左端の発光表示素子列間のドット間隔、“ｃ”は映像表示ユニット５の最下端の発光表示素子列と映像表示ユニット８の最上端の発光表示素子列間のドット間隔、“ｄ”は映像表示ユニット５の最左端の発光表示素子列と映像表示ユニ４の最右端の発光表示素子列間のドット間隔である。
まず、これらのドット間隔“ａ”〜ドット間隔“ｄ”を測定する。【００４０】
次に、この測定した結果を用いて、以下の式により補正演算エリア１１に位置する映像データに対する補正係数値θ１＊、補正演算エリア１２に位置する映像データに対する補正係数値θ２＊、補正演算エリア１３に位置する映像データに対する補正係数値θ３＊、補正演算エリア１４に位置する映像データに対する補正係数値θ４＊を求める。
上端補正係数θ１＊＝１／２＋｛ドット間隔ａ／画素ピッチ｝
右端補正係数θ２＊＝１／２＋｛ドット間隔ｂ／画素ピッチ｝
下端補正係数θ３＊＝１／２＋｛ドット間隔ｃ／画素ピッチ｝
左端補正係数θ４＊＝１／２＋｛ドット間隔ｄ／画素ピッチ｝
上式で求めた各補正係数を、実施の形態１の場合と同様に、対応する補正演算エリアに位置する映像データに掛け合せることにより補正後の映像データを得る。
なお、補正係数値θ１＊は映像表示ユニット５の上端にある補正演算エリア１１に位置する画像データの輝度値を補正するための補正係数、補正係数値θ２＊は映像表示ユニット５の右端にある補正演算エリア１２に位置する画像データの輝度値を補正するための補正係数、補正係数値θ３＊は映像表示ユニット５の下端にある補正演算エリア１３に位置する画像データの輝度値を補正するための補正係数、補正係数値θ４＊は映像表示ユニット５の左端にある補正演算エリア１４に位置する画像データの輝度値を補正するための補正係数であるので、θ１＊を上端補正係数、θ２＊を右端補正係数、θ３＊を下端補正係数、θ４＊を左端補正係数と称している。【００４１】
また、上式で求めた各補正係数を用いて輝度補正しても、目視により継ぎ目部分の線状のノイズが確認できる場合には、下式に示すように、各補正係数（θ１＊〜θ４＊）に対して調整係数γ（γ１〜γ４）を付加することにより、最終的な補正後の映像データを得ることができる。
この場合、上端補正係数θ１＊′、右端補正係数θ２＊′、下端補正係数θ３＊′および左端補正係数θ４＊′は、以下の式で求められる。
上端補正係数θ１＊′＝上端補正係数θ１＊＋γ1
右端補正係数θ２＊′＝右端補正係数θ２＊＋γ2
下端補正係数θ３＊′＝下端補正係数θ３＊＋γ3
左端補正係数θ４＊′＝左端補正係数θ４＊＋γ4
上記の処理により、最終的な補正後の映像データを得ることができる。【００４２】
以上説明したように、本実施の形態による映像表示装置の輝度補正手段は、隣接する第１の映像表示ユニットおよび第２の映像表示ユニットの互いに対向する発光表示素子列の間隔測定データに基づいて、映像データの輝度を補正するための補正係数を演算し、得られた補正係数を用いて補正対象エリアに位置する映像データの輝度を補正する。
従って、本実施の形態によれば、映像表示ユニットの精度に影響されることなく、表示映像の更に正確な画質向上が可能となる。【００４３】
実施の形態４．
なお、上記実施の形態２〜３では、各映像表示ユニット端ごとに隙間ゲージ等の測定機器を用いて映像表示ユニットの間隔の測定を行っていたが、例えば、映像表示ユニットの上下左右に、加圧センサのようなセンサを設けて間隔を自動的に測定し、その測定データより補正係数を演算し映像表示ユニット最端部の輝度に反映させることにより、間隔測定および映像表示ユニット境界部分の画質調節が容易に行えるため、効率化を図ることができる。【００４４】
図６は、実施の形態４による映像表示装置の構成を説明するための概念図であり、映像表示ユニットに対して加圧センサを取り付けた例を示している。
映像表示ユニットの上側および右側に加圧センサ２６を配置する。
例えば、映像表示ユニット４と映像表示ユニット５を左右に並べて配置した際、映像表示ユニット４の右測面に設けた加圧センサ２６が映像表示ユニット５により押しこまれることにより、映像表示ユニット４と映像表示ユニット５の間の距離（間隔）を測定する。
即ち、加圧センサ２６がうける圧力より、映像表示ユニット４と映像表示ユニット５の間の距離（間隔）を求める。
これにより、隣接する映像表示ユニットの間隔を自動的に測定できるので、測定された間隔測定データに基づいて、実施の形態２と同様に、映像データの輝度を補正するための補正係数を演算し、得られた補正係数を用いて補正対象エリアに位置する映像データの輝度を補正する。【００４５】
以上説明したように、本実施の形態による映像表示装置においては、隣接する映像表示ユニット間の間隔測定データは、隣接する隣接する第１の映像表示ユニットと第２の映像表示ユニット間に設けられた加圧センサによって自動的に測定されるので、輝度補正係数を容易に求めることができる。【００４６】
実施の形態５．
なお、前述の実施の形態１〜４では、映像表示ユニット間の継ぎ目部分の画質調整のみを行う場合について述べた。
本実施の形態では、映像表示ユニットを複数個組み合わせたモジュール間の継ぎ目部分の輝度を調整することにより画質調整を可能とする。
可搬型のモジュールは、図８に示すように組み替えることが多いため、モジュール間の間隔が不均一になりやすい。
また、任意のモジュールを任意の箇所に組み合わせて使用するため、モジュール端に対する調整が必要となる。【００４７】
以下、図７〜図９を用いて実施の形態５による映像表示装置について説明する。
３１〜３９はモジュールであり、これらの各モジュール３１〜３９は、例えば、９個の映像表示ユニット１〜９で構成されている。
本実施の形態では、モジュール３５を中心として、その周囲にモジュョールがマトリックス状に配置されている場合を例として説明する。
モジュール３５の上端補正演算エリア１１０、右端補正演算エリア１２０、下端補正演算エリア１３０、左端補正演算エリア１４０に対して、それぞれ輝度値を変更できるようにしてある。
また、モジュールの最端映像表示ユニットの最端補正演算エリア１５に対してはモジュール用の補正係数を、モジュール内の映像表示ユニットの最端補正エリア１６に対しては映像表示ユニット用の補正係数を求め適用する。（図８参照）【００４８】
図７は、モジュール用補正係数の導出方法を説明するための概念図である。
なお、図７（ａ）は隣接するモジュール間に発生する線状のノイズが抑制される前の状態を、図７（ｂ）は隣接するモジュール間に発生する線状のノイズが抑制される状態を示している。
例えば、図７（ａ）では、モジュール３５とモジュール３４の間隔が標準モジュール間隔４０より狭いために、モジュール３５の左端において明るい線状のノイズが見える。
また、モジュール３５とモジュール３６の間隔が標準モジュール間隔４０よりも広いために、モジュール３５の右端において暗い線線状のノイズが見える。【００４９】
モジュール３５とモジュール３４の間隔が狭いために、明るい線状のノイズが見える時には、モジュール３５の左端エリアおよびモジュール３４の右端エリアを含む補正演算エリア１４０に位置する映像データの輝度値をモジュール左端補正係数θ８により暗くなるように補正する。左端補正係数θ８は下記の式で示される。
モジュール左端補正係数θ８＝１＋δ
この場合、δ＜０となる。
このモジュール補正係数θ８をモジュール３５の左端エリアおよびモジュール３４の右端エリアを含む補正演算エリア１４０に位置する映像データに掛け合わせることで、モジュール３５とモジュール３４の継ぎ目部分の輝度を下げ、明るい線状のノイズを見え難くする。【００５０】
また、モジュール３５とモジュール３６の間隔が広いために、暗い線状のノイズが見える時には、モジュール３５の右端エリアおよびモジュール３６の左端エリアを含む補正演算エリア１２０に位置する映像データの輝度値をモジュール右端補正係数θ６により明るくなるように補正する。モジュール右端補正係数θ６は下記の式で示される。
モジュール左端補正係数θ６＝１＋δ
この場合、δ＞０となる。
このモジュール左端補正係数θ６をモジュール３５の右端エリアおよびモジュール３６の左端エリアを含む補正演算エリア１２０に位置する映像データに掛け合わせることで、モジュール３５とモジュール３６の継ぎ目部分の輝度を上げ、暗い線状のノイズを見え難くする。【００５１】
モジュール３５とモジュール３２との境界（即ち、補正演算エリア１１０）に対するモジュール上端補正係数θ５、およびモジュール３５とモジュール３８との境界（即ち、補正演算エリア１３０）に対するモジュール下端補正係数θ７も同様に次式で求められる。
モジュール上端補正係数θ５＝１＋δ
モジュール下端補正係数θ７＝１＋δ
δ＝０のとき、上端補正係数θ５と下端補正係数θ７は１となる。
θ５およびθ７が１のときは、補正演算エリア１１０に位置する映像データおよび補正演算エリア１３０に位置する映像データの輝度は変更されない。【００５２】
なお、実施の形態２の場合と同様に、モジュール３５と上側モジュール３２の間の間隔Ａ′を測定することにより、モジュール３５の上端補正演算エリア１１０に対する補正係数（モジュール上端補正係数）θ５′を以下の式で求めることもできる。
モジュール上端補正係数θ５′
＝１＋｛（間隔Ａ′−間隔Ｔ′）／（２×画素ピッチ）｝
ここで、間隔Ｔ′とは、標準モジュール間隔４０のことである。
同様に、モジュール３５と左側モジュール３６の間隔Ｂ′、モジュール３５と下側モジュール３８の間隔Ｃ′、モジュール３５と右側モジュール３４の間隔Ｄ′を用いて、モジュール３５の左端補正演算エリア１２０、モジュール３５の下端補正演算エリア１３０、
モジュール３５の左端補正演算エリア１４０に対する補正委係数（θ６′、θ７′、θ８′）を以下の式で求めることができる。
モジュール左端補正係数θ６′
＝１＋｛（間隔Ｂ′−間隔Ｔ′）／（２×画素ピッチ）｝
モジュール左端補正係数θ７′
＝１＋｛（間隔Ｃ′−間隔Ｔ′）／（２×画素ピッチ）｝
モジュール左端補正係数θ８′
＝１＋｛（間隔Ｄ′−間隔Ｔ′）／（２×画素ピッチ）｝
上記の処理により、モジュール間の継ぎ目部分に発生する線状の明暗ノイズを抑えることができる。【００５３】
モジュールを解体した際には、各モジュール用補正係数θ５〜θ８を１に設定することで補正を戻すことができる。
モジュールを組み換えて使用する際には、新たな補正係数をモジュール内の映像表示ユニット最端に対する補正係数を求めて適用する。
モジュール間の間隔はモジュールを組み換えるたびに変化する。モジュールの組み換えに応じて変化するモジュール間隔に応じてモジュール用補正係数を設定することで、モジュール間継ぎ目部分の線状の明暗ノイズを抑えることができる。【００５４】
図８は、モジュールの組み換えにより、映像表示ユニット間の調整あるいは映像表示ユニットより構成されるモジュール間の調整を概念的に示す図である。
図８のように映像表示ユニット間の調整と、映像表示ユニットより構成されるモジュール間の調整を行うことで、大型表示装置全体に対して画質調整が可能となる。
図９は、実施の形態５による映像表示装置の動作を説明するための図である。
図９に示すように、映像入力に対し、上下方向の補正係数を掛け合わせた後で、左右方向の補正係数を掛け合わせる。
映像表示ユニットの上端補正演算エリア１１に位置する映像データに対して補正係数θ１を、映像表示ユニットの下端補正演算エリア１３に位置する映像データに対して補正係数θ３を、モジュール上端補正演算エリア１１０に位置する映像データに対して補正係数θ５を、また、モジュール下端補正演算エリア１３０に位置する映像データに対して補正係数θ７を掛け合わせることで、上下方向継ぎ目部分に現れる線状ノイズを抑えることができる。また、補正係数を掛けるエリアは上下方向補正エリアセレクタ２３により選択される。【００５５】
次に、上下方向に補正された映像データに対して、映像表示ユニットの右端補正演算エリア１２に位置する映像データに対しては補正係数θ２を、映像表示ユニットの左端補正演算エリア１４に位置する映像データに対しては補正係数θ４を、モジュールの右端補正演算エリア１２０に位置する映像データに対しては補正係数θ６を、モジュールの左端補正演算エリア１４０に位置する映像データに対しては補正係数θ８を掛け合わせることで、継ぎ目部分に現れる線状ノイズを抑えることができる。また、補正係数を掛けるエリアは左右方向補正エリアセレクタ２４より選択される。
モジュールの最右上端補正演算エリアの映像データに対する補正係数は、モジュール上端補正係数θ５とモジュール右端補正係数θ６を掛け合わせることにより求める。
同様に、モジュールの最右下端補正演算エリアに対してはθ６とθ７を掛け合わせることで補正係数を求め、モジュールの最左下端補正演算エリアに対してはθ７とθ８を掛け合わせることで補正係数を求め、モジュール最左上端補正演算エリアに対してはθ５とθ８を掛け合わせることで補正係数を求める。【００５６】
以上説明したように、本実施の形態による映像表示装置は、複数の映像表示ユニットから構成されるモジュールを組み合わせて表示画面を構成する映像表示装置であって、隣接する第１のモジュールと第２のモジュールの間隔に応じて、第１のモジュールおよび第２のモジュールの互いに対向する端部領域である補正対象エリアに位置する映像データの輝度を補正する輝度補正手段とを備えている。
また、この輝度補正手段は、隣接する第１のモジュールと第２のモジュールの間隔が狭く第１のモジュールと第２のモジュールの間に明るい線状のノイズが発生するときは、補正対象エリアに位置する映像データの輝度を下げ、第１のモジュールと第２のモジュールの間隔が広く第１のモジュールと第２のモジュールの間に暗い線状のノイズが発生するときは、補正対象エリアに位置する映像データの輝度を上げるように構成している。【００５７】
従って、本実施の形態によれば、隣接する第１のモジュールと第２のモジュールの間隔に応じて、隣接する第１のモジュールおよび第２のモジュールの互いに対向する端部領域である補正対象エリア（補正演算エリア）に位置する映像データの輝度を調整することが可能であるので、モジュールの継ぎ目部分に発生する線状のノイズを抑制し、表示映像の画質を向上することができる。【００５８】
実施の形態６．
図１０は、実施の形態６による映像表示装置を説明するための概念図である。
複数の映像表示ユニットより構成される大型映像表示装置では、各映像表示ユニットに対してそれぞれアドレスが設定されている。
映像表示ユニットのアドレスとその映像表示ユニット内の四辺のうちどの端のエリアに対して補正するかを指定して、映像表示ユニットの端にあたる映像データに対し補正係数を設定することで、任意の継ぎ目部分に現れる線状の明暗ノイズを抑えることができる。【００５９】
また、補正を加えるアドレスの範囲を指定することにより、図１０のように複数ユニットにわたる補正や、複数モジュールにわたる補正を行うことができ、容易に輝度を補正するシステムを構築することができる。【００６０】
以上説明したように、本実施の形態にゆる映像表示装置は、映像表示ユニットあるいはモジュールにそれぞれアドレスを設定しておき、該設定されたアドレスの範囲を指定することにより、複数映像表示ユニットあるいはモジュールにわたって輝度補正を行うように構成されている。
【産業上の利用可能性】
【００６１】
この発明は、映像表示ユニットあるいはモジュールの継ぎ目部分に現れる線状のノイズを軽減できる映像表示装置の実現に有用である。
【図１】
2008117393.tif 000003
【図２】
2008117393.tif 000004
【図３】
2008117393.tif 000005
【図４】
2008117393.tif 000006
【図５】
2008117393.tif 000007
【図６】
2008117393.tif 000008
【図７】
2008117393.tif 000009
【図８】
2008117393.tif 000010
【図９】
2008117393.tif 000011
【図１０】
2008117393.tif 000012
【国際調査報告】
2008117393.tif 000013
2008117393.tif 000014
2008117393.tif 000015
2008117393.tif 000016